(57)【要約】【課題】故意であるなしによらずに不用意に情報が消える危険性をなくした上で、煩雑な過程を経ずに安全に機密情報を消去可能とすること。【解決手段】一般ユーザが操作できるモードと区別された管理者モードにおいて、制御手段１０９が、ハードディスク１０８に記憶されたすべての画像データや送信先情報を一括で消去するように制御する構成を特徴とする。【選択図】　　　図１
2004128548.tif 000002
【特許請求の範囲】
【請求項１】
画像情報を入力する画像情報入力手段と、前記画像情報をプリント出力する画像情報出力手段と、前記画像情報を含むユーザ使用情報を記憶する記憶手段とを有する画像処理装置において、
一般ユーザと区別された特定ユーザが操作可能な管理者モードと、
前記管理者モード時に前記記憶手段に記憶されたすべてのユーザ使用情報を一度に消去する消去手段と、
を有することを特徴とする画像処理装置。
【請求項２】
前記消去手段は、前記記憶手段に対して意味のないデータを複数回書くことにより前記記憶手段に記憶されたユーザ使用情報の消去を行うことを特徴とする請求項１記載の画像処理装置。
【請求項３】
前記記憶手段は、前記画像情報を保持する格納先としてユーザが指定する領域であるユーザ記憶領域、前記画像処理装置の制御プログラムが使用する一時記憶領域を有することを特徴とする請求項１又は２記載の画像処理装置。
【請求項４】
前記画像情報を他の機器に送信する画像情報送信手段を有し、
前記記憶手段に記憶されるユーザ使用情報は、前記画像情報，前記画像情報送信手段で送信する宛先情報，前記送信手段による送信履歴を含むことを特徴とする請求項１〜３のいずれかに記載の画像処理装置。
【請求項５】
画像情報を入力する画像情報入力手段と、前記画像情報をプリント出力する画像情報出力手段と、前記画像情報を含むユーザ使用情報を記憶する記憶手段とを有する画像処理装置の制御方法において、
一般ユーザと区別された特定ユーザが操作可能な管理者モード時に前記記憶手段に記憶されたすべてのユーザ使用情報を一度に消去する消去工程を有することを特徴とする画像処理装置の制御方法。
【請求項６】
請求項５に記載された画像処理装置の制御方法を実行するためのプログラム。
【請求項７】
請求項５に記載された画像処理装置の制御方法を実行するためのプログラムをコンピュータが読み取り可能に記憶した記憶媒体。
【発明の詳細な説明】
【０００１】
【発明の属する技術分野】
本発明は、画像データ記憶部を備えたデジタル複写機、ページプリンタ、ファクシミリ等の画像処理装置および画像処理装置の制御方法およびプログラムおよび記憶媒体に関するものである。
【０００２】
【従来の技術】
従来、スキャナから読み取った画像データや、ホストコンピュータからネットワークを介して送られたＰＤＬデータをビットマップに展開した画像データをハードディスクなどのメモリに記憶し、そのメモリから任意の原稿の画像データを繰り返し読み出してプリントアウトする機能を備えたデジタル複写機が知られている。
【０００３】
そして、部門やユーザ毎の枚数制限や機能制限などの通常のユーザでは操作できない管理を行う管理者モード（一般ユーザと区別された特定ユーザが操作可能な管理者モード）を有し、管理者モードへの切り替えは例えばテンキーより暗唱番号を入力する等して行っている。
【０００４】
また、部門毎やユーザ毎の階層の内、一つの階層に含まれる画像データをユーザインターフェース（以下、ＵＩ）を使い、一括で消去する方法も提案されつつある。
【０００５】
さらに、オフィスのネットワーク化が進む中で、プリンタ，ファクシミリ，画像読み取り装置（スキャナ）、Ｅ−ｍａｉｌ送信等が組み合わせた多機能な画像処理装置が登場している。
【０００６】
【発明が解決しようとする課題】
しかしながら、上記のような従来のデジタル複写機などの画像処理装置では、返却や廃却などで機密漏洩防止のため、ユーザ（管理者ユーザを含む）がすべての画像データを消去したい場合を検討してみると、階層毎（部門毎、ユーザ毎）に消去していく方法位しか術がなく、一括して消去することができず、操作性の向上が望まれる。
【０００７】
また、ファクシミリの送信先電話番号やＥ−ｍａｉｌ送信の送信先アドレスなども同様に機能毎に消去していく方法位しか術がなく、すべての機能の設定を一括して消去することができない問題点がある。
【０００８】
又、単純に操作性を向上させようと全てを一括して消去できるようにするだけでは、故意であるなしによらず不用意に情報が消える危険性もあるので、両者を両立させることが望まれる。
【０００９】
本発明は、上記の問題点を解決するためになされたもので、本発明の目的は、一般ユーザが操作できるモードと区別された管理者モードにおいてすべての画像データや送信先情報を一括で消去できるようにすることにより、故意であるなしによらずに不用意に情報が消える危険性をなくした上で、煩雑な過程を経ずに機密情報を消去できる操作性の向上と危険防止の両方を満足した画像処理装置および画像処理装置の制御方法およびプログラムおよび記憶媒体を提供することである。
【００１０】
【課題を解決するための手段】
本発明に係る第１の発明は、画像情報を入力する画像情報入力手段（図１に示すリーダ部１０３）と、前記画像情報をプリント出力する画像情報出力手段（図１に示すプリンタ部１０４）と、前記画像情報を含むユーザ使用情報を記憶する記憶手段（図１に示すハードディスク１０８）とを有する画像処理装置において、一般ユーザと区別された特定ユーザが操作可能な管理者モードと、前記管理者モード時に前記記憶手段に記憶されたすべてのユーザ使用情報を一度に消去する消去手段（図１に示す制御部１０９）とを有することを特徴とする。
【００１１】
本発明に係る第２の発明は、前記消去手段（図１に示す制御部１０９）は、前記記憶手段に対して意味のないデータ（図５，図９に示す「０ｘ００」，「０ｘＦＦ」，「０ｘ５５」，「０ｘＡＡ」）を複数回書くことにより前記記憶手段に記憶されたユーザ使用情報の消去を行うことを特徴とする。
【００１２】
本発明に係る第３の発明は、前記記憶手段は、前記画像情報を保持する格納先としてユーザが指定する領域であるユーザ記憶領域（図４に示すボックス領域４０２），前記画像処理装置の制御プログラムが使用する一時記憶領域（図５に示すテンポラリ領域４０１）を有することを特徴とする。
【００１３】
本発明に係る第４の発明は、前記画像情報を他の機器に送信する画像情報送信手段（図１に示すＦＡＸモデム部１０６，コンピュータインタフェース部１０７）を有し、前記記憶手段に記憶されるユーザ使用情報は、前記画像情報，前記画像情報送信手段で送信する宛先情報，前記送信手段による送信履歴を含むことを特徴とする。
【００１４】
本発明に係る第５の発明は、画像情報を入力する画像情報入力手段と、前記画像情報をプリント出力する画像情報出力手段と、前記画像情報を含むユーザ使用情報を記憶する記憶手段とを有する画像処理装置の制御方法において、一般ユーザと区別された特定ユーザが操作可能な管理者モード時に前記記憶手段に記憶されたすべてのユーザ使用情報を一度に消去する消去工程（図５のステップＳ５０３〜Ｓ５０６，図９のステップＳ９０３〜Ｓ９０６）を有することを特徴とする。
【００１５】
本発明に係る第６の発明は、請求項５に記載された画像処理装置の制御方法を実行するためのプログラムであることを特徴とする。
【００１６】
本発明に係る第７の発明は、請求項５に記載された画像処理装置の制御方法を実行するためのプログラムを記憶媒体にコンピュータが読み取り可能に記憶させたことを特徴とする。
【００１７】
【発明の実施の形態】
〔第１実施形態〕
図１は、本発明の一実施形態を示す画像処理装置の構成を示すブロック図である。
【００１８】
図において、１０１はデジタル複写機本体で、操作部１０２、リーダ部（画像入力手段）１０３、プリンタ部（画像出力手段）１０４から構成される。
【００１９】
操作部１０２は、デジタル複写機本体１０１及び画像入出力制御部１０５を操作するために使用される。リーダ部１０３は、原稿の画像を読み取り、原稿画像に応じた画像データをプリンタ部１０４及び画像入出力制御部１０５へ出力する。プリンタ部１０４は、リーダ部１０３及び画像入出力制御部１０５からの画像データに応じた画像を記録紙上に記録する。
【００２０】
尚、デジタル複写機本体１０１と画像入出力制御部１０５を含んだ１つの装置（或いはシステム）として構成しても良いし、デジタル複写機本体１０１と画像入出力制御部１０５を別体構成とし、画像入出力制御部１０５とデジタル複写機１０１とがデータ通信し合い本形態を実現してもよい。又、後述のボックス機能を実現するのに用いるハードディスク１０８を装置に内蔵した構成でも良いし、外付けタイプの構成にして、別体扱いでも良い。このように、各装置、各ユニットが別体型、内蔵型、如何なる構成でも本願各実施形態を実現可能である。
【００２１】
画像入出力制御部１０５は、リーダ部１０３に接続されており、ＦＡＸモデム部（以下、ファクシミリ部（画像入力手段））１０６、コンピュータインタフェース部１０７、ハードディスク１０８、制御部１０９から構成される。
【００２２】
ファクシミリ部１０６は、電話回線を介して受信した圧縮画像データを伸長して、伸長された画像データを制御部１０９へ転送し、また、制御部１０９から転送された画像データを圧縮して、圧縮された圧縮画像データを電話回線を介して送信する。ファクシミリ部１０６により受信した圧縮画像データは、ハードディスク１０８に一時的に保存することができる。
【００２３】
コンピュータインタフェース部１０７は、パーソナルコンピュータまたはワークステーション（ＰＣ／ＷＳ）１１０と制御部１０９の間のインタフェースであり、ＰＣ／ＷＳ１１０から転送された画像を表すコードデータ（ＰＤＬ）をプリンタ部１０４で記録できる画像データに展開して制御部１０９に渡す。また、制御部１０９からの指示により、ＰＣ／ＷＳ１１０に対して文字や画像データを送信する。
【００２４】
ハードディスク１０８は、画像データの出力順序を変えたり、複数部出力においても一回のスキャンで出力ができるようにするためや、ファクシミリ送信やファクシミリ受信のように転送に時間がかかる場合に、ＰＤＬの展開データやスキャナからの画像データを一時的に記憶したり、同じ画像データを繰り返し読み出すために利用者が意図的に消去するまで記憶したりする。
【００２５】
制御部１０９については後述するが、制御部１０９は、ＣＰＵ，ＲＯＭ，ＲＡＭ等を有し、ＣＰＵがＲＯＭ又はその他の記憶媒体に格納されたプログラムを実行することにより画像処理装置全体を統括制御して、リーダ部１０３、ファクシミリ部１０６、コンピュータインタフェース部１０７、ハードディスク１０８のそれぞれの間のデータの流れを制御するものである。
【００２６】
図２は、図１に示したリーダ部１０３及びプリンタ部１０４の構成を示す断面図である。
【００２７】
リーダ部１０３において、２０１は原稿給送装置で、原稿を最終順に１枚ずつプラテンガラス２０２上へ給送し、原稿の読み取り動作終了後、プラテンガラス２０２上の原稿を排出するものである。
【００２８】
原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７、及びレンズ２０８によってＣＣＤイメージセンサ（以下ＣＣＤと呼ぶ）２０９へ導かれる。
【００２９】
このように、走査された原稿の画像はＣＣＤ２０９によって読み取られ、ＣＣＤ２０９から出力される画像データは、所定の処理が施された後、プリンタ部１０４及び画像入出力制御部１０５の制御部１０９へ転送される。
【００３０】
プリンタ部１０４において、２２１はレーザドライバで、レーザ発光部２１０を駆動するものであり、リーダ部１０３から出力された画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。
【００３１】
そして、レーザ光の照射開始と同期したタイミングで、カセット２１３及びカセット２１４のいずれかから記録紙を給紙して転写部２１５へ搬送し、感光ドラム２１１に付着された現像剤を記録紙に転写する。
【００３２】
現像剤の乗った記録紙は定着部２１６に搬送され、定着部２１６の熱と圧力により現像剤は記録紙に定着される。定着部２１６を通過した記録紙は排出ローラ２１７によって排出され、ソータ（仕分け装置）２２０は排出された記録紙をそれぞれのビンに収納して記録紙の仕分けをしたり、仕分けされた記録紙のステイプルを行う。
【００３３】
なお、ソータ２２０は仕分けが設定されていない場合は最上ビンに記録紙を収納する。また、両面記録が設定されている場合は、排出ローラ２１７のところまで記録紙を搬送した後、排出ローラ２１７の回転方向を逆転させ、フラッパ２１８によって再給紙搬送路２１９へ導く。
【００３４】
多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００３５】
図３は、図１に示した操作部１０２のキー配列を示す外観図である。
【００３６】
図において、３０１は主電源ランプで、電源オン時に点灯する。図示せぬ電源スイッチは、本体の側面に配置され、本体への通電を制御する。３０２は予熱キーで、予熱モードのＯＮ／ＯＦＦに使用する。３０３はコピーモードキーで、複数の機能の中からコピーモードを選択する時に使用する。
【００３７】
３０４はファックスモードキーで、複数の機能の中からファックスモードを選択する時に使用する。３０５はボックスキーで、複数の機能の中からボックスモードを選択する時に使用する。ボックスに関しては後程説明する。
【００３８】
３０６はコピースタートキーで、コピーの開始を指示する時に用いるキーである。３０７はストップキーで、コピーを中断したり、中止したりする時に用いるキーである。３０８はリセットキーで、スタンバイ中は標準モードに復帰させるキーとして動作する。
【００３９】
３０９はガイドキーで、各機能を知りたい時に使用するキーである。３１０はユーザーモードキーで、ユーザがシステムの基本設定を変更する時に使用する。３１１は割り込みキーで、コピー中に割り込みしてコピーしたい時に用いる。
【００４０】
３１２はテンキーで、数値の入力を行う時に使用する。３１３はクリアキーで、数値をクリアする時に用いる。３１４は、２０個のワンタッチ・ダイヤル・キーであり、ファクシミリ送信において、ワンタッチでダイヤルする時に使用する。
【００４１】
３１５は２枚組のフタであり、ワンタッチ・ダイヤル・キー３１４の各キー部分がくり抜かれ形状の２重のフタになっている。図示しないセンサスイッチにより、２枚のフタが閉じられた第１の状態、１枚目のフタだけが開いた第２の状態、及び２枚のフタが開いた第３の状態を検出する。これら３種類のフタの開閉状態と組み合わせで、ワンタッチ・ダイヤル・キー３１４のキーの動作が決定されるので、本実施形態では、キーが２０×３＝６０個存在するのと同等の効果を持つ。
【００４２】
３１６は、液晶画面とタッチセンサの組み合わせからなるタッチパネルであり、各モード毎に個別の設定画面が表示され、更に、描画されたキーに触れることで、各種の詳細な設定を行うことが可能である。
【００４３】
３１７は、コントロールカードを挿入するスロットであり、コントロールカードに記憶されている情報を読み取る機能を持つ。本実施形態では、コントロールカードはサービスマンがサービスモードに切り替えるために用いられるカードであり、サービスＩＤ情報が保持されている。
【００４４】
図４は図１に示したハードディスク１０８の論理的な使用方法を示す説明図である。
【００４５】
本実施形態においては、使用用途に応じてハードディスクの記憶領域をテンポラリ領域４０１とボックス領域４０２に論理的に分ける。
【００４６】
テンポラリ領域４０１は、制御プログラムが使用する一時記憶領域であり、画像データの出力順序を変えたり、複数部出力においても一回のスキャンで出力ができるようにするためや、ファクシミリ送信やファクシミリ受信のように転送に時間がかかる場合に、ＰＤＬの展開データやスキャナからの画像データを一時的に記憶する記憶領域である。ボックス領域４０２はボックス機能を使用するための記憶領域であり、４０３〜４０７のように登録された数の複数の記憶領域（以降、ボックス領域と呼ぶ）に分割されており、ハードディスク１０８は複数のボックス領域を有する。
【００４７】
尚、使用できるボックスの数を、例えば１００個等と予め決めておき、ハードディスク１０８にその数分だけ複数のボックスを用意しておき、その上で、ユーザは、ボックスの設定及びボックスの新規登録等を、随時、ＰＣの操作部にて、或いは、デジタル複写機本体１０１の操作部１０２にて実行できるように構成する。
【００４８】
又、各ボックスの中は、夫々、複数のジョブ（印刷ジョブ）を溜め込めるように構成する。
【００４９】
本実施形態においてボックス機能とは、例えば、機密文書等、第３者に見られたくないようなデータをプリントアウトする場合に、パソコンなどのホスト（ＰＣ／ＷＳ１１０）やスキャナ（リーダ部１０３）からデジタル複写機のハードディスクの記憶領域（ボックス）を指定して印刷ジョブ（画像データ）をその所望のボックスに転送し、ユーザからの指示無しにプリントアウトすることなく、ボックス内で保持させておき、該用紙への出力をデジタル複写機本体１０１の操作部１０２からユーザが所望のタイミングで随時行う機能である。
【００５０】
又、ボックスに記憶したジョブは、印刷してもなお、ユーザ（管理者を含む）からの消去指示なしには、消去せずに該ボックスに再利用可能に保持しておくよう記憶制御して、何度でもプリントアウト可能に構成する。
【００５１】
又、ボックス４０３〜４０７は、会社などの部署毎に割り当てられ、各ボックスにはボックス名とパスワードを付けることができる。勿論、ユーザ単位でも使用できる。
【００５２】
ユーザはボックス名を指定することで各ボックスにアクセスすることができ、パスワードが付けられていた場合、パスワードを入力しないと実際にボックスの中を見たり、用紙に出力することはできない。　パスワードの設定はボックス単位で行えるようにし、ハードディスクへの新規ボックス登録の設定の際に、パスワードを設定する／設定しない、及び設定する場合のパスワード入力等を行わせる。
【００５３】
パスワードが設定されたボックス内のジョブを出力（プリントや送信を含む）させるには、まず、登録された複数のボックスの中から所望のボックスを選択し、選択対象のボックスに対してセットされているパスワードに一致するパスワードを入力することにより、そのボックスを開き（ボックス内のジョブの一覧表示を行い）、その中から、所望のジョブを選択し、出力させるという手順を踏む。
【００５４】
パスワードが設定されていないボックスのジョブを出力（プリントや送信を含む）させるには、登録された複数のボックスの中から所望のボックスを選択することで、パスワード要求画面を表示することなく、その選択対象のボックスの中身を一覧表示させる工程に移行し、該画面の中から所望のジョブを選び出し、出力させるという手順を踏む。
【００５５】
上記構成において、制御部１０９は、ハードディスク１０８を複数の領域に分けて管理し、ユーザの操作入力等により指定された前記複数の領域内の任意の領域に画像を記憶（記憶モード）することや、上記指定された領域から画像を読み出してプリント（出力モード）することができる。
【００５６】
また、出力紙を仕分けする複数の仕分けトレイからなるソータ（仕分け装置）２２０を有し、自動出力モードで出力する場合は、制御部（段数指定手段）１０９によって指定された段数のトレイに出力する。
【００５７】
又、上記ボックス機能において、選択したボックスの中にあるジョブの中から所望のジョブを選択するにあたり、操作部における操作方法として、ボックス内に格納されている全てのジョブを選択する為の不図示のボタン（全選択ボタン）を有しており、操作部上で該ボタンを押下して、更に消去ボタン（不図示）を押下することで、該ボックスの中に格納されている全てのジョブを一括消去するモードも有している。このように、記憶したデータのうちの一部の範囲内（部門毎やユーザ毎等のある１つの階層の範囲内）での一括消去処理を実行できるモードを有している。この消去モードは、一般ユーザモード下にて機能させる。又、この消去モードは、各ボックス単位で行えるようにしている。
【００５８】
そして、本形態は、このような、一般のユーザモードレベルでの一括消去モードを有すると共に、以下のような、管理者ユーザモードレベルでの一括消去モードを有しており、ユーザには、夫々、区別して利用可能に構成している。　以下、図５〜図７を参照して、本実施形態に係わる画像処理装置のサービスマニュアル更新処理動作手順について説明する。
【００５９】
図５は、本発明の画像処理装置における第１の制御処理手順の一例を示すフローチャートであり、画像データ（ここでいう画像データとはドキュメントデータともいい、又、単にジョブとも呼ばれるもの）一括消去処理動作手順に対応する。なお、このフローチャートの処理は、図１に示した制御部１０９のＣＰＵによりＲＯＭ又はその他の記憶媒体に格納されたプログラムに基づいて実行されるものとする。また、図５中のＳ５０１〜Ｓ５０７は各ステップを示す。
【００６０】
また、図６〜図７は、画像データ一括消去処理動作時において、図３に示したタッチパネル３１６に表示される画面の一例を示す模式図である。
【００６１】
以下、図５のフローチャートに沿って説明する。
【００６２】
図５のステップＳ５０１では、一般ユーザが操作可能な一般ユーザモードから管理者ユーザモードへの移行を行う。管理者ユーザモードへ移行する条件としては、例えば、管理者ユーザがスロット３１７に管理者ユーザ用のコントロールカードを挿入することで該管理者ユーザモードに移行させる。管理者ユーザモードに移行すると、制御部１０９はタッチパネル３１６に図６に示す画像データ一括消去ボタン６０１を表示する。
【００６３】
尚、該画面において、上記ボタン６０１と共に、この画面が管理者ユーザモード下であることをユーザ（ここでは管理者ユーザ）に識別可能にする為のメッセージを一緒に表示するよう表示制御する。これにより、誤操作防止、操作性向上を図る。
【００６４】
ステップＳ５０２では、管理者ユーザにより画像データ一括消去ボタン６０１が押下されると、これにより、ハードディスク１０８のテンポラリ領域４０１のジョブ（画像データ）及びパーソナルボックス領域４０２のジョブを含むハードディスク１０８の全てのジョブをハードディスクから一括消去処理するよう制御する。消去処理の仕方の一例として、例えば、以下のような消去処理を行う。
【００６５】
ステップＳ５０３では、制御部１０９がハードディスク１０８のテンポラリ領域４０１とボックス領域４０２のすべての領域に対して、１セクタサイズ分すべてが「０ｘ００」で埋められたデータを１セクタ毎に該当する領域のすべてのセクタに書き込む。
【００６６】
ステップＳ５０４では、ハードディスク１０８のテンポラリ領域４０１とボックス領域４０２のすべての領域に対して、１セクタサイズ分すべてが「０ｘＦＦ」で埋められたデータを１セクタ毎に該当する領域のすべてのセクタに書き込む。
【００６７】
ステップＳ５０５では、ハードディスク１０８のテンポラリ領域４０１とボックス領域４０２のすべての領域に対して、１セクタサイズ分すべてが「０ｘ５５」で埋められたデータを１セクタ毎に該当する領域のすべてのセクタに書き込む。
【００６８】
ステップＳ５０６では、ハードディスク１０８のテンポラリ領域４０１とボックス領域４０２のすべての領域に対して、１セクタサイズ分すべてが「０ｘＡＡ」で埋められたデータを１セクタ毎に該当する領域のすべてのセクタに書き込む。
【００６９】
上述のステップＳ５０３〜Ｓ５０６の処理を行うことで、ハードディスクのジョブの一括消去を実行する。
【００７０】
ステップＳ５０７では、制御部１０９がタッチパネル３１６に図７に示す画像データの一括消去が終了したことを示すポップアップ７０１を表示する。尚、該画面においても、このモードは、管理者ユーザモードであることをユーザにより識別可能なメッセージと共に表示するよう表示制御する。
【００７１】
これにより、画像処理装置が保持しているすべての画像データを一回のアクションで一括して消去することが出来るとともに、複数回、上述のような、０ｘ００、０ｘＦＦ、０ｘ５５、０ｘＡＡ等の意味のないデータを書き込む（ステップＳ５０３〜Ｓ５０６の処理を行う）ことによって、ハードディスクに残留している磁気が読み取られて、画像データが復元されることを防止している。
【００７２】
〔第２実施形態〕
上記第１実施形態では、ハードディスク１０８内の画像データを一括して消去する場合について説明したが、本実施形態では画像データとともに、ファクシミリの送信先電話番号やＥ−ｍａｉｌ送信の送信先アドレスをも同時に消去する構成について、図８〜図１１を参照して説明する。
【００７３】
図８は、図１に示したハードディスク１０８の論理的な使用方法を示す説明図であり、図４と同一のものには同一の符号を付してある。
【００７４】
本実施形態においては、使用用途に応じてハードディスクの記憶領域をテンポラリ領域４０１とボックス領域４０２とファクシミリの宛先領域８０８に論理的に分けている。
【００７５】
４０１、４０２は図４と同一であるため説明を省略する。ファクシミリの宛先領域８０８はファクシミリの宛先を記憶している領域であり、ファクシミリ送信においてワンタッチでダイヤルするためにワンタッチ・ダイヤル・キー３１４に割り当てられたダイヤルナンバが保持されている。
【００７６】
図９は、本発明の画像処理装置における第２の制御処理手順の一例を示すフローチャートであり、画像データ／宛先情報一括消去処理動作手順に対応する。なお、このフローチャートの処理は、図１に示した制御部１０９のＣＰＵによりＲＯＭ又はその他の記憶媒体に格納されたプログラムに基づいて実行されるものとする。また、図９中のＳ９０１〜Ｓ９０７は各ステップを示す。
【００７７】
また、図１０〜図１１は、本発明の第２実施形態の画像データ／宛先情報一括消去動作時において、図３に示したタッチパネル３１６に表示される画面の一例を示す模式図である。
【００７８】
図９のステップＳ９０１では、一般ユーザが操作可能な一般ユーザモードから管理者ユーザモードへの移行を行う。管理者ユーザモードへの移行は、管理者ユーザがスロット３１７に管理者ユーザ用のコントロールカードを挿入することで行われる。管理者ユーザモードに移行すると、制御部１０９はタッチパネル３１６に図１０に示す画像データ／宛先情報一括消去ボタン１００１を表示する。
【００７９】
ステップＳ９０２では、管理者ユーザにより画像データ／宛先情報一括消去ボタン１００１が押下されると、これにより、ハードディスク１０８のテンポラリ領域４０１のデータ及びパーソナルボックス領域４０２のデータ、ファクシミリ宛先領域のデータを含むハードディスク１０８に記憶されているデータ（ここでいうデータとは、印刷データや個人情報等のユーザが格納させたデータであって、装置を動かす為のデータなどではない）をハードディスクから一括消去処理するよう制御する。消去処理の仕方の一例として、例えば、以下のような消去処理を行う。
【００８０】
ステップＳ９０３では、制御部１０９がハードディスク１０８のテンポラリ領域４０１とボックス領域４０２とファクシミリの宛先領域８０８のすべての領域に対して、１セクタサイズ分すべてが「０ｘ００」で埋められたデータを１セクタ毎に該当する領域のすべてのセクタに書き込む。
【００８１】
ステップＳ９０４では、ハードディスク１０８のテンポラリ領域４０１とボックス領域４０２とファクシミリの宛先領域８０８のすべての領域に対して、１セクタサイズ分すべてが「０ｘＦＦ」で埋められたデータを１セクタ毎に該当する領域のすべてのセクタに書き込む。
【００８２】
ステップＳ９０５では、ハードディスク１０８のテンポラリ領域４０１とボックス領域４０２とファクシミリの宛先領域８０８のすべての領域に対して、１セクタサイズ分すべてが「０ｘ５５」で埋められたデータを１セクタ毎に該当する領域のすべてのセクタに書き込む。
【００８３】
ステップＳ９０６では、ハードディスク１０８のテンポラリ領域４０１とボックス領域４０２とファクシミリの宛先領域８０８のすべての領域に対して、１セクタサイズ分すべてが「０ｘＡＡ」で埋められたデータを１セクタ毎に該当する領域のすべてのセクタに書き込む。
【００８４】
ステップＳ９０７では、制御部１０９がタッチパネル３１６に図１１に示す画像データ／宛先情報の一括消去が終了したことを示すポップアップ１１０１を表示する。
【００８５】
これにより、画像処理装置が保持しているすべての画像データとファクシミリの宛先を一回のアクションで一括して消去することが出来るとともに、複数回、意味のないデータを書き込むことによって、ハードディスクに残留している磁気が読み取られて、画像データやファクシミリの宛先が復元されることを防止している。
【００８６】
なお、上述した第１実施形態における画像データ一括消去や、第２実施形態における画像データ／宛先情報一括消去は、管理者ユーザモード状態に切り替わったときにのみ有効となるものである。
【００８７】
従って、故意であるなしによらずに不用意に情報が消える危険性をなくした上で、煩雑な過程を経ずに（管理者モード時に画像データ一括消去ボタン６０１，画像データ／宛先情報一括消去ボタン１００１を指示するという簡単な操作で）、機密情報を消去することができる操作性と機密性の両者を兼ね備えた画像処理装置を提供することができる。
【００８８】
又、上述したように、管理者ユーザモードにおける上記消去モードと、ユーザモード下におけるボックス機能に含まれる上記消去モードの両者を合わせもち、これらを区別して利用可能にすることで、一般ユーザにとっての操作性、管理者ユーザにとっての操作性の両者を満足しながら、上記管理者モードにおける高機密性を維持することが出来る等の効果を奏する。
【００８９】
また、上記第２実施形態では、ファクシミリの宛先を一括消去する構成について説明したが、画像情報やファクシミリの宛先情報のみでなく、インターネットファクシミリ（ＩｎｔｅｒｎｅｔＦＡＸ）の宛先やＥ−ｍａｉｌのアドレス、さらにユーザが使用した際に生成されたデータ、例えばファクシミリ送受信履歴，インターネットファクシミリ送受信履歴，電子メール送受信履歴，制御プログラムが使用したワーク情報等も全て同時に消去する構成にしてもよい。
【００９０】
さらに、上記第１，第２実施形態では、一般ユーザモードから管理者ユーザモードへの切り換えを、スロット３１７にコントロールカードを挿入することにより行う構成について説明したが、操作部１０２のキーを操作しても、暗証番号等を入力して切り換え可能に構成してもよい。
【００９１】
また、上記第１，第２実施形態では、タッチパネル３１６からの操作で画像データや宛先情報の一括消去を行ったが、ＰＣ／ＷＳ１１０からのアクセスによって行う構成にしてもよい。この際、ＰＣ／ＷＳ１１０から暗証番号を入力して管理者モードへの切り換えを行うものとする。
【００９２】
また、上記各実施形態では、ハードディスク１０８のテンポラリ領域４０１，ボックス領域４０２，ファクシミリの宛先領域８０８等のすべての領域に対して、１セクタサイズ分すべてが「０ｘ００」，「０ｘＦＦ」，「０ｘ５５」，「０ｘＡＡ」等で埋められたデータを１セクタ毎に該当する領域のすべてのセクタに書き込む構成について説明したが、書き込むデータは、上記「０ｘ００」，「０ｘＦＦ」，「０ｘ５５」，「０ｘＡＡ」に限られるものではなく、意味のないデータを複数回書き込むのであればどのようなデータであってもよいし、書き込む回数も４回に限られるものではない。
【００９３】
さらに、上記第１，第２実施形態では、画像データや宛先情報がハードディスクに保持されている場合について説明したが、例えば、フレキシブルディスク，ハードディスク，光ディスク，光磁気ディスク，ＣＤ−ＲＷ，ＤＶＤ−ＲＡＭ，磁気テープ，不揮発性のメモリカード，ＳＲＡＭ，ＥＥＰＲＯＭ，シリコンディスク等を用いることができる。
【００９４】
また、本発明は、ページプリンタおよびファクシミリ装置等の画像処理装置についても同様に適用可能であり、上述した画像データ一括消去や画像データ／宛先情報一括消去を実施することができる。
【００９５】
なお、上記各実施形態では、プリンタ部（プリンタエンジン）がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【００９６】
以上説明したように、ハードディスク１０８に記憶されたユーザ使用情報（例えば画像情報，宛先情報，ファクシミリ送受信履歴，電子メール送受信履歴，制御プログラムが使用したワーク情報等も全て含む）を一括して消去することにより、階層毎（部門毎，ユーザ毎）に消去するという煩雑な過程（例えば、上記ユーザモード下におけるボックス機能に含まれる１つのボックス単位での消去モードを使って、全てのボックスに対して消去モードを各ボックス毎に繰り返し行うことにより、全てのボックスのデータを消去する等の過程）を経ずにすべてのユーザ使用情報を全て消去することができる。
【００９７】
また、複数回、意味のないデータを書き込むことによって、ハードディスク１０８に残留している磁気が読み取られて、画像情報／宛先情報が復元されることを防止することができる。
【００９８】
さらに、ユーザ使用情報（例えば画像情報，宛先情報，ファクシミリ送受信履歴，電子メール送受信履歴，制御プログラムが使用したワーク情報等も全て含む）の一括消去を一般ユーザモードで実行できないように管理者モードのみで実行可能にしたことで、故意であるなしによらずに不用意に情報が消える危険性をなくすことができる。
【００９９】
また、上記各実施形態や応用例を組み合わせたものも本発明に含まれるものとする。
【０１００】
以下、図１２に示すメモリマップを参照して本発明に係る画像処理装置で読み出し可能なデータ処理プログラムの構成について説明する。
【０１０１】
図１２は、本発明に係る画像処理装置で読み出し可能な各種データ処理プログラムを格納する記憶媒体のメモリマップを説明する模式図である。
【０１０２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０３】
さらに、各種プログラムに従属するデータも上記ディレクトリに管理されている。また、インストールするプログラムやデータが圧縮されている場合に、解凍するプログラム等も記憶される場合もある。
【０１０４】
本実施形態における図５，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０６】
この場合、記憶媒体から読み出されたプログラムコード自体が本発明の新規な機能を実現することになり、そのプログラムコードを記憶した記憶媒体は本発明を構成することになる。
【０１０７】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１０】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１１１】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１１２】
【発明の効果】
以上説明したように、本発明に係る第１〜７の発明によれば、一般ユーザと区別された特定ユーザが操作可能な管理者モード時に記憶手段に記憶されたすべてのユーザ使用情報を一度に消去するので、階層毎（部門毎、ユーザ毎）に消去するという煩雑な過程を経ずにすべての画像情報等のユーザ使用情報を消去することができるとともに、ユーザ使用情報の一括消去を一般ユーザモードで実行できない管理者モードとしたことで、故意であるなしによらずに不用意に情報が消える危険性をなくすこともできる。
【０１１３】
また、複数回、意味のないデータを書き込むので、記憶手段に残留している磁気を読み取られて、画像情報／宛先情報を復元させることを防止することができる。
【０１１４】
さらに、画像情報だけでなく宛先情報も一括して消去できるので、さらに機密情報を保護することが出来る。
【０１１５】
従って、故意であるなしによらずに不用意に情報が消える危険性をなくした上で、煩雑な過程を経ずに、安全に機密情報を消去することができる操作性と機密性，危険防止の全てを兼ね備えた画像処理装置を提供することができる等の効果を奏する。
【図面の簡単な説明】
【図１】本発明の実施形態を示す画像処理装置の構成を示すブロック図である。
【図２】図１に示したリーダ部及びプリンタ部の構成を示す断面図である。
【図３】図１に示した操作部のキー配列を示す外観図である。
【図４】図１に示したハードディスクの第１の論理的な使用方法を示す説明図である。
【図５】本発明の画像処理装置における第１の制御処理手順の一例を示すフローチャートである。
【図６】画像データ一括消去処理動作時において、図３に示したタッチパネルに表示される画像データ一括消去ボタンの一例を示す模式図である。
【図７】画像データ一括消去処理動作時において、図３に示したタッチパネルに表示される終了ポップアップの一例を示す模式図である。
【図８】図１に示したハードディスクの第２の論理的な使用方法を示す説明図である。
【図９】本発明の画像処理装置における第２の制御処理手順の一例を示すフローチャートである。
【図１０】画像データ／宛先情報一括消去処理動作時において、図３に示したタッチパネルに表示される画像データ／宛先情報一括消去ボタンの一例を示す模式図である。
【図１１】画像データ／宛先情報一括消去処理動作時において、図３に示したタッチパネルに表示される終了ポップアップの一例を示す模式図である。
【図１２】本発明に係る画像処理装置で読み出し可能な各種データ処理プログラムを格納する記憶媒体のメモリマップを説明する模式図である。
【符号の説明】
１０１　デジタル複写機本体
１０２　操作部
１０３　リーダ部
１０４　プリンタ部
１０５　画像入出力制御部
１０６　ファクシミリ部
１０７　コンピュータインタフェース部
１０８　ハードディスク（記憶手段）
１０９　制御部（制御手段）
１１０　ＰＣ／ＷＳ
【図１】
2004128548.tif 000003
【図２】
2004128548.tif 000004
【図３】
2004128548.tif 000005
【図４】
2004128548.tif 000006
【図５】
2004128548.tif 000007
【図６】
2004128548.tif 000008
【図７】
2004128548.tif 000009
【図８】
2004128548.tif 000010
【図９】
2004128548.tif 000011
【図１０】
2004128548.tif 000012
【図１１】
2004128548.tif 000013
【図１２】
2004128548.tif 000014